(57)【要約】【課題】電流計測作業時に半円状クランプセンサ構体の閉鎖が不完全なときに警告を発する警報装置を備えたクランプセンサを提供すること。【解決手段】閉鎖時に略円環状をなすよう一端側を開閉可能に枢着させた一組の半円状クランプセンサ構体２ａ，２ｂを備えたクランプセンサ８に、半円状クランプセンサ構体の閉鎖が不完全なときに警告を発する警報装置を設ける。警報装置としては、半円状クランプセンサ構体２ａ，２ｂの一方の開閉端側又は枢着端側に、特定方向からの接触により動作するマイクロスイッチ１０又は遮蔽板により光路が遮断されるマイクロスイッチ光ファイバ式フォトセンサ１５を用いる。【選択図】図1
2009085599.tif 000002
【特許請求の範囲】
【請求項１】
閉鎖時に略円環状をなすよう一端側を開閉可能に枢着させた一組の半円状クランプセンサ構体と、前記一組の半円状クランプセンサ構体の閉鎖時に互いに当接する突合せ部に配置された磁電変換素子を備えたクランプセンサにおいて、
前記一組の半円状クランプセンサ構体の一方の開閉端側又は枢着端側に、特定方向からの接触により動作するマイクロスイッチを配置し、他方の開閉端側又は枢着端側には、前記一組の半円状クランプセンサ構体の閉鎖時に前記マイクロスイッチを動作可能な位置に突起を設けるとともに、前記磁電変換素子による誘導磁気の検出時に前記マイクロスイッチが不動作のとき警告を発する警報装置を備えたことを特徴とするクランプセンサ。
【請求項２】
閉鎖時に略円環状をなすよう一端側を開閉可能に枢着させた一組の半円状クランプセンサ構体と、前記一組の半円状クランプセンサ構体の閉鎖時に互いに当接する突合せ部に配置された磁電変換素子を備えたクランプセンサにおいて、
前記一組の半円状クランプセンサ構体の一方の開閉端側又は枢着端側に、特定方向からの光遮蔽部材の挿入により光路が遮断されるスイッチ回路を備えた光ファイバ式フォトセンサを配置し、他方の開閉端側又は枢着端側には、前記一組の半円状クランプセンサ構体の閉鎖時に前記スイッチ回路の光路を遮断可能な位置に遮蔽部材を設けるとともに、前記磁電変換素子による誘導磁気の検出時に前記スイッチ回路の光路が不遮断のとき警告を発する警報装置を備えたことを特徴とするクランプセンサ。
【請求項３】
前記クランプセンサ構体は、閉鎖時に略円環状をなす半円状の磁気コアと、前記磁気コアの少なくとも一部を覆う非磁性体のコアカバーからなることを特徴とする請求項１又は２記載のクランプセンサ。
【請求項４】
前記警報装置は、警告灯又は警告音により警告を発する装置であることを特徴とする請求項１乃至３のいずれか１項記載のクランプセンサ。
【発明の詳細な説明】
【技術分野】
【０００１】
本発明は、非接触でケーブルや電線（以下、ケーブル等という。）を流れる電気信号を計測するクランプセンサに係り、特に、クランプセンサによるケーブル等の把持が不完全な場合に警告を発して、ケーブル等の把持が不完全なことによる電気信号の誤検出を防止したクランプセンサに関する。
【背景技術】
【０００２】
一般に、ケーブル等の電路に流れる電気信号を非接触で計測するセンサとして、ケーブル等の外周を環状の磁気コアで囲み、この磁気コアに生じる誘導磁気を検出するクランプセンサが知られている。
【特許文献１】特開平１１−２９５３４７号公報
【特許文献２】特開平１１−２９５３５０号公報
【特許文献３】特開２０００−１８０４７５号公報  これらのクランプセンサは、たとえば図１０に示すように、閉鎖時に略円環状をなすよう一端側を支持軸１により開閉可能に枢着させた一組の半円状クランプセンサ構体２ａ，２ｂを備えている。
【０００３】
このクランプセンサ構体２ａ，２ｂは、図１１にその突合せ部を断面で示すように、閉鎖時に略円環状をなす半円状の磁気コア３と、この磁気コア３を被覆する非磁性の樹脂等からなるコアカバー４から構成されている。
【０００４】
また、半円状クランプセンサ構体２ａの磁気コア３の閉鎖時に半円状クランプセンサ構体２ｂと対向する端面には磁電変換素子５が配置され、その上を覆って遮蔽板６が配設されている。一方、クランプセンサ構体２ｂのコアカバー４の、閉鎖時に遮蔽板６と対向する位置には、窓部７が形成され、クランプセンサ構体２ａ，２ｂの閉鎖時には、この窓部７に半円状クランプセンサ構体２ａ側の遮蔽部６が収納される。
【０００５】
このクランプセンサ８の半円状クランプセンサ構体２ａ，２ｂを開いて被測定対象である活線状態のケーブル等を環状部内に案内しクランプセンサ構体２ａ，２ｂの開閉端を閉じると、図示しないばね構造により、クランプセンサ構体２ａ，２ｂの内周面がケーブル等に近接して、磁気コア３はケーブル等を流れる信号電流により誘導磁気を発生する。
【０００６】
磁気コア３に発生した誘導磁気は、磁電変換素子５により電流に変換され、この電流は、図示しないリード線等により外部に導出され適宜の表示手段に表示され、あるいは記録手段に記録される。
【０００７】
このようなクランプセンサ８においては、半円状クランプセンサ構体２ａ，２ｂの開閉端は、閉鎖時に磁気コア３，３間に形成される空隙をできるだけ小さくして、磁電変換素子５の感度を高めるとともに、外部磁気の影響を少なくする必要がある。
【０００８】
ところで、このようなクランプセンサ８を用いて多数のケーブル等が併走しているケーブルトレイやケーブルピット等で各ケーブルの電流計測作業を行う場合には、他のケーブル等が障害となって半円状クランプセンサ構体２ａ，２ｂが完全に閉じたどうかの確認を視認によって行うことが難しい場合がある。
【０００９】
特に、ケーブル探査作業においては、多数のケーブル又は電線が重なった状態のケーブル等から特定の信号を検出する作業を行うが、このときクランプの閉鎖が不完全であると、磁電変換素子が、クランプしたケーブル等以外からの外部磁界の変化まで検出するため、探査すべきケーブルを誤って特定してしまうという問題があった。
【発明の開示】
【発明が解決しようとする課題】
【００１０】
上述したように、従来のクランプセンサでは、多数のケーブル等が併走しているケーブルトレイやケーブルピット等で各ケーブルの電流計測作業を行う場合に、他のケーブル等が障害となってクランプセンサが完全に閉じたどうかの確認が難しいという問題があり、このため、クランプの閉鎖が不完全なままで計測を行って、探査すべきケーブルを誤って特定してしまうおそれがあった。
【００１１】
本発明は、かかる従来の課題を解決すべくなされたもので、電流計測作業時に半円状クランプセンサ構体の閉鎖が不完全なときに警告を発する警報装置を備えたクランプセンサを提供することを目的とする。
【課題を解決するための手段】
【００１２】
本発明は上記目的を達成すべくなされたもので、閉鎖時に略円環状をなすよう一端側を開閉可能に枢着させた一組の半円状クランプセンサ構体と、前記一組の半円状クランプセンサ構体の閉鎖時に互いに当接する突合せ部に配置された磁電変換素子を備えたクランプセンサにおいて、前記一組の半円状クランプセンサ構体の一方の開閉端側又は枢着端側に、特定方向からの接触により動作するマイクロスイッチを配置し、他方の開閉端側又は枢着端側には、前記一組の半円状クランプセンサ構体の閉鎖時に前記マイクロスイッチを動作可能な位置に突起を設けるとともに、前記磁電変換素子による誘導磁気の検出時に前記マイクロスイッチが不動作のとき警告を発する警報装置を備えたことを特徴とする。
【００１３】
また、本発明は、閉鎖時に略円環状をなすよう一端側を開閉可能に枢着させた一組の半円状クランプセンサ構体と、前記一組の半円状クランプセンサ構体の閉鎖時に互いに当接する突合せ部に配置された磁電変換素子を備えたクランプセンサにおいて、前記一組の半円状クランプセンサ構体の一方の開閉端側又は枢着端側に、特定方向からの光遮蔽部材の挿入により光路が遮断されるスイッチ回路を備えた光ファイバ式フォトセンサを配置し、他方の開閉端側又は枢着端側には、前記一組の半円状クランプセンサ構体の閉鎖時に前記スイッチ回路の光路を遮断可能な位置に遮蔽部材を設けるとともに、前記磁電変換素子による誘導磁気の検出時に前記スイッチ回路の光路が不遮断のとき警告を発する警報装置を備えたことを特徴とする。
【００１４】
クランプセンサ構体は、一般に、閉鎖時に略円環状をなす１組の半円状の磁気コアと、これらの磁気コアの少なくとも一部を覆う合成樹脂等の非磁性体からなるコアカバーから構成することができる。
【００１５】
また、警報装置は、作業者が作業中に視覚又は聴覚により直ちに感知できるものが適している。警報装置による警告の仕方としては、(1)閉鎖が正常に行われたときに信号を発する、(2)閉鎖が正常に行われないときに信号を発する、(3)閉鎖が正常に行われたときと正常に行われなかったときとで異なる信号を発する、等があるが、本発明では、いずれも適用可能である。
【００１６】
警告を視覚を介して行う場合には、上記の信号を表示灯の点灯、無点灯又は色相の異なる表示灯への切り換え、等で行うことができ、聴覚を介して行う場合には、信号音の有無や信号音の有無、信号音の周波数や断続音の断続時間の切換え等により、閉鎖が正常に行われたか、正常に行われなかったかを示すことができる。
【００１７】
なお、警報装置は、視覚と聴覚の両方によって作業者が認識できるように構成してもよい。
【発明の効果】
【００１８】
本発明のクランプセンサでは、作業者が、クランプの閉鎖が完全に行われているか否かを、警報装置により電流計測作業中でも容易に知ることができるので、探査すべきケーブルを誤って特定するような誤計測がなくなる。
【発明を実施するための最良の形態】
【００１９】
以下、本発明に係るクランプセンサの実施例について、図面を参照して説明する。
【００２０】
（実施例１）
図１乃至図６は、本発明の第一の実施例を説明するための図である。なお、以下の図において、各図に共通する部分には、同一符号を付して重複する説明は省略する。
【００２１】
この実施例は、一組の半円状クランプセンサ構体２ａ，２ｂの閉鎖が正常に行われたか否かをクランプセンサ構体２ａの開放端側に設けたマイクロスイッチにより検出して閉鎖が不完全な場合に警報を発するようにしたものである。
【００２２】
これらの図において、図１は半円状クランプセンサ構体２ａ，２ｂの閉鎖状態を一部を透視（点線部分）して示す正面図、図２は開放状態を一部を透視して示す正面図である。
【００２３】
このクランプセンサ８は、一組の半円状クランプセンサ構体２ａ，２ｂの閉鎖時に略円環状をなすよう半円状クランプセンサ構体２ａ，２ｂの一端側が支持軸１により開閉可能に枢着されている。
【００２４】
また、図示はしないが、この実施例の半円状クランプセンサ構体も、図１０，図１1に示した従来のクランプセンサと同様に、半円状クランプセンサ構体２ａの閉鎖時に突合される磁気コアの端面には磁電変換素子が配置され、クランプセンサ構体２ａ，２ｂの閉鎖時には、環状の磁気回路が形成されて計測時には、磁気コアに発生した誘導磁気が磁電変換素子により測定される。
【００２５】
この実施例のクランプセンサ構体２ａの先端部の片方の側面には、一側面を開口部９ａとした箱型のケース９に収容されたマイクロスイッチ１０が、ケース９の開放部９ａ側をクランプセンサ構体２ｂ側に向けて取り付けられている。
【００２６】
マイクロスイッチ１０は、一方向から押圧することにより回路を閉じる作動突起１０ａを有しており、この作動突起１０ａ側が開口部９ａ側に向けてケース９の奥に収容されている。
【００２７】
ケース９は、作業時にマイクロスイッチ１０の作動突起１０ａがケーブル等と接触して誤動作するのを防止するためのもので、クランプセンサの閉鎖時ドグ（押圧突起）１１が進入してくる側面だけを開放した扁平な直方体状の箱型とされている。
【００２８】
一方、クランプセンサ構体２ｂの先端部のマイクロスイッチ１０と対応する側には、マイクロスイッチ１０の作動突起１０ａを押圧するドグ１１が固着されている。
【００２９】
ドグ１１は、クランプセンサ構体２ａ，２ｂの閉鎖時に、ケース９に触れずに中にあるマイクロスイッチ１０の作動突起を押圧できるように、段状に形成され、薄肉の押圧部１１ａとクランプセンサ構体２ｂの側面との間にケース９の開口部の縁が入り込む溝部が形成されるように取り付けられている。
【００３０】
図７は、図示を省略した警報装置の警報回路の回路図であり、作業開始時に手動スイッチ１２を入れた状態で、マイクロスイッチ１０が閉じると、閉鎖が完了したことを示すＬＥＤ１３が点灯し、同時に閉鎖を完了したことを知らせるブザー１４が鳴るように構成されている。
【００３１】
この実施例のクランプセンサ８は、手動スイッチ１２を入れて、図２に示すように、半円状クランプセンサ構体２ａ，２ｂを開き、所定のケーブル等を把持するように閉じると、クランプセンサ構体２ａ，２ｂの閉鎖の動作につれてドグ１１の押圧部１１ａがケース９の開放部からケース９内に案内されてマイクロスイッチ１０の作動突起を押圧するようにクランプセンサ構体２ｂの開放端に固定される。
【００３２】
クランプセンサ構体２ａ，２ｂの閉鎖が完了すると、ドグ１１の押圧部１１ａがマイクロスイッチ９の作動突起９ａを押圧してスイッチ回路が閉じられ、この信号は、信号線１２を介してクランプセンサの固定部１３に設けた警報回路に送られ、ＬＥＤ１３とブザー１４が作動する。
【００３３】
この実施例の信号線Ｗは、捻回が狭ピッチで行われており、クランプセンサ８への電磁的な影響が少なくなるようにされている。
【００３４】
なお、この実施例では、半円状クランプセンサ構体２ａ，２ｂが閉じたときに、マイクロスイッチ１０がＯＮとなる接点を用いたが、手動スイッチがＯＮの状態でクランプセンサが完全に閉鎖したときＯＦＦとなる接点、すなわちクランプセンサが開状態のときにＯＮとなる接点を用いて、クランプセンサ構体が完全に閉じていないときにＬＥＤ１３とブザー１４を作動させて作業者に知らせるように構成することもできる。
【００３５】
（実施例２）
図８及び図９は、本発明の第二の実施例を説明するための図である。
【００３６】
なおこの実施例は、実施例１の実施例におけるマイクロスイッチ１０とドグ１１からなる閉鎖検知機構を、光フォトセンサ１５と遮蔽板１６らなる閉鎖検知機構に変えた点を除いて、基本的な構成は実施例１のそれと同一である。
【００３７】
この実施例のクランプセンサ構体２ａの先端には、遮蔽板１６の挿・抜により光路が断続されるスリット１５ａを備えた光ファイバ式フォトセンサ１５がスリット１５ａをクランプセンサ構体２ｂ側に向けて取り付けられている。
【００３８】
一方、クランプセンサ構体２ｂの先端部の光ファイバ式フォトセンサ１５と対応する側には、クランプセンサ構体２ａ，２ｂの閉鎖時に、光ファイバ式フォトセンサ１５のスリット１５ａに挿入される遮蔽板１６が固着されている。
【００３９】
この実施例では、半円状クランプセンサ構体２ａ，２ｂの開放時には、光ファイバ式フォトセンサ１５の光路がスリット１５ａを横切って形成されているが、閉鎖時には、この光路が遮蔽板１６によって遮断される。そして、この実施例では、図７に示した警報回路により、異常を知らせる警告灯が点灯し、警報用のブザーが作動する。
【００４０】
なお、光ファイバ式フォトセンサ１５の接点をクランプセンサが完全に閉鎖したときＯＮとなる接点、すなわちクランプセンサが開状態のときにＯＦＦとなる接点を用いて、クランプセンサ構体が完全に閉じていないことをＬＥＤとブザーで作業者にしらせるように構成することもできる。
【００４１】
本実施例においても実施例１と同様にケーブル探査などを行う場合にクランプセンサ１が目的外の他のケーブル、電線を余分に挟み込んだりクランプセンサ１の閉塞が十分でない場合は警告信号が発せられ、誤検出を防止することができる。この実施例では、光ファイバ１７を用いるので磁気コアに対して電磁的な影響を与えない利点がある。符号18は光コネクタである。
【００４２】
なお、以上の実施例では、一組の半円状クランプセンサ構体の一方の開閉端側にマイクロスイッチや光ファイバ式フォトセンサを配置し、他方の開閉端側にこれらを作動させる押圧突起や遮蔽板を配置し、半円状クランプセンサ構体の閉鎖によって、これらを動作させ、閉鎖状態を確認できるようにしたが、本発明はかかる実施例に限定されるものではなく、一組の半円状クランプセンサ構体の一方の枢着端側に、マイクロスイッチや光ファイバ式フォトセンサを配置し、他方の枢着端側に、半円状クランプセンサ構体の閉鎖によって、これらを作動させる押圧突起や遮蔽板を配置し、半円状クランプセンサ構体の閉鎖によって、これらを動作させるように構成することもできる。
【図面の簡単な説明】
【００４３】
【図１】本発明の一実施例の閉鎖状態を示す正面図。
【図２】本発明の一実施例の開放状態を示す正面図。
【図３】図２の要部をIII−III方向から見た図。
【図４】図２の要部をIV−IV方向から見た図。
【図５】図３の要部をV方向から見た図。
【図６】図３の要部をVI方向から見た図。
【図７】本発明の実施例に用いられる警報装置の回路図。
【図８】本発明の他の実施例の閉鎖状態を示す正面図。
【図９】本発明の他の実施例の開放状態を示す正面図。
【図１０】のクランプセンサの閉鎖状態を示す正面図。
【図１１】図１０の開放端部分の拡大断面図。
【符号の説明】
【００４４】
１…支持軸、２ａ，２ｂ…半円状クランプセンサ構体、３…磁気コア、４…コアカバー、５…磁電変換素子、６…遮蔽部、７…窓部、８…クランプセンサ、９…ケース、１０…マイクロスイッチ、１０ａ…作動突起、１１…ドグ、１２…手動スイッチ、１３…ＬＥＤ、１４…ブザー、１５…光フォトセンサ、１５ａ…スリット、１６…遮蔽板、１７…光ファイバ、18…光コネクタ。
【図１】
2009085599.tif 000003
【図２】
2009085599.tif 000004
【図３】
2009085599.tif 000005
【図４】
2009085599.tif 000006
【図５】
2009085599.tif 000007
【図６】
2009085599.tif 000008
【図７】
2009085599.tif 000009
【図８】
2009085599.tif 000010
【図９】
2009085599.tif 000011
【図１０】
2009085599.tif 000012
【図１１】
2009085599.tif 000013